(57)【特許請求の範囲】
【請求項１】
１個の遊技球が通過するごとに１歯分のみ回転するように構成された歯車と、
予め設けられた回転軸を中心に回転し、前記回転軸から予め設定された所定設置距離離れた位置に第１磁気部材が設置された振り子状部材と、
前記歯車の回転に同期して、前記振り子状部材の移動経路に沿って回転する当接部材と、
前記第１磁気部材が前記回転軸の真上に位置する状態を磁気真上状態とし、前記第１磁気部材が前記回転軸の真下に位置する状態を磁気真下状態として、前記振り子状部材が前記磁気真上状態から前記磁気真下状態へ回転するときの前記第１磁気部材の移動経路の近傍の予め設定された第１検出部設置位置に設けられ、前記第１磁気部材の接近を検出する第１磁気検出部と、
遊技球の通過により前記歯車が回転するときの向きを歯車回転向きとして、前記歯車回転向きと同じ向きで前記第１磁気検出部から遠ざかるときの前記振り子状部材の移動を許可するとともに、前記歯車回転向きと反対の向きで前記第１磁気検出部に近付くときの前記振り子状部材の移動による前記第１磁気検出部への接近を制限する移動制限手段と
を備えることを特徴とする遊技球計数装置。
【請求項２】
１個の遊技球が通過するごとに１歯分のみ回転するように構成された歯車と、
予め設けられた回転軸を中心に回転し、前記回転軸から予め設定された所定設置距離離れた位置に第１磁気部材が設置された振り子状部材と、
前記歯車の回転に同期して、前記振り子状部材の移動経路に沿って回転する当接部材と、
前記第１磁気部材が前記回転軸の真上に位置する状態を磁気真上状態とし、前記第１磁気部材が前記回転軸の真下に位置する状態を磁気真下状態として、前記振り子状部材が前記磁気真上状態から前記磁気真下状態へ回転するときの前記第１磁気部材の移動経路の近傍の予め設定された第１検出部設置位置に設けられ、前記第１磁気部材の接近を検出する第１磁気検出部と、
前記振り子状部材が前記磁気真下状態から前記磁気真上状態へ回転するときの前記第１磁気部材の移動経路の近傍の予め設定された第１磁気部材設置位置に設けられ、接近する前記第１磁気部材を吸着可能な第２磁気部材と、
遊技球の通過により前記歯車が回転するときの向きを歯車回転向きとして、前記歯車回転向きと反対の向きで前記第１磁気部材が前記第１磁気部材設置位置から前記第１検出部設置位置へ向けて移動する経路の近傍の予め設定された第２磁気部材設置位置に設けられ、接近する前記第１磁気部材を吸着可能な第３磁気部材と
を備えることを特徴とする遊技球計数装置。
【請求項３】
前記第１磁気部材設置位置は、前記第２磁気部材設置位置よりも、前記第１磁気部材の移動経路に近接して設定される
ことを特徴とする請求項２に記載の遊技球計数装置。
【請求項４】
前記振り子状部材が回転するときの前記第１磁気部材の移動経路の近傍で前記第１検出部設置位置と異なるように設定された第２検出部設置位置に設けられ、前記第１磁気部材の接近を検出する第２磁気検出部と、
前記第１磁気部材の接近を前記第１磁気検出部が検出したタイミングと、前記第１磁気部材の接近を前記第２磁気検出部が検出したタイミングとの間の順序が、予め設定された所定検出順である場合に、前記第１磁気部材の接近を検出した旨を示す信号を出力する第１信号出力手段と
を備えることを特徴とする請求項１〜請求項３の何れかに記載の遊技球計数装置。
【請求項５】
前記振り子状部材が回転するときの前記第１磁気部材の移動経路の近傍で、前記第１磁気検出部よりも先に前記第１磁気部材の接近を検出可能に設定された第３検出部設置位置に設けられ、前記第１磁気部材の接近を検出する第３磁気検出部と、
前記第１磁気検出部と前記第３磁気検出部が同時に前記第１磁気部材の接近を検出した場合に、前記第１磁気部材の接近を検出した旨を示す信号を出力する第２信号出力手段と
を備えることを特徴とする請求項１〜請求項３の何れかに記載の遊技球計数装置。
【発明の詳細な説明】
【技術分野】
【０００１】
本発明は、遊技場で利用される遊技球の数を計数する遊技球計数装置に関する。
【背景技術】
【０００２】
遊技機が設置された遊技場においては、遊技に使用された遊技球（以降、遊技球を単に球ともいう）を回収して、この球を繰り返し使用可能とするための球循環系が構築されている。
【０００３】
この球循環系のうちで、球を回収する部分は、例えば、複数の遊技機が設置される遊技機島毎に設置される回収樋と、遊技機毎に設置されるアウト球収容器とから構成されている。そしてアウト球収容器は、遊技機毎に遊技盤上に打ち出された球（アウト球）を回収して、回収した球を更に回収樋へ誘導する。
【０００４】
また球循環系のうちで、球を遊技機に補給する部分は、例えば、遊技機島における長手方向の中央に設置され、遊技機から回収した球を遊技機島の上部へ揚送する揚送機と、遊技機島の上部に設置され、揚送機により揚送された球を各遊技機に補給するための補給樋とから構成されている。補給樋は、遊技機島の中央から端部へ向かって一直線状に下方に傾斜して延設されている。また補給樋の側壁部には、球を補給樋から分離して遊技機へ案内する分離シュートが遊技機毎に設けられている。すなわち、揚送機により揚送された球は、補給樋の傾斜方向に沿って自然流下し、流下途中において分離シュートにより補給樋から分離されることによって、各遊技機に補給される
このように構成された球循環系においては、遊技機から排出された遊技球の数を遊技機毎に計数するためにアウト球収容器毎に遊技球計数装置が取り付けられるとともに、遊技機に補給された遊技球の数を遊技機毎に計数するために分離シュート毎に遊技球計数装置が取り付けられる。
【０００５】
このようにアウト球収容器および分離シュートに取り付けられる遊技球計数装置として、遊技球通路を遊技球が所定数（例えば１０個）通過した場合にパルス信号を１回出力するように構成されたものがある。
【０００６】
そして、このような遊技球計数装置として、一端が軸支されるとともに他端に磁石が取り付けられて遊技球が所定数通過する毎に１回転する振り子状部材と、振り子状部材の近傍に設置されて、振り子状部材が１回転する毎に、振り子状部材に取り付けられた磁石の接近を検出するリードスイッチとを備えたものが知られている（例えば、特許文献１を参照）。
【先行技術文献】
【特許文献】
【０００７】
【特許文献１】特開２００４−２２３１２９号公報
【発明の概要】
【発明が解決しようとする課題】
【０００８】
しかし、特許文献１に記載の遊技球計数装置では、振り子状部材が、リードスイッチ近傍で、遊技球が所定数通過する時間より十分短い振動周期で振動する状況になると、短時間で多数のパルス信号を出力するチャタリングが発生し、遊技球数を正確に計数することができなくなるという問題があった。
【０００９】
本発明は、こうした問題に鑑みてなされたものであり、遊技球数の誤計数を低減する技術を提供することを目的とする。
【課題を解決するための手段】
【００１０】
上記目的を達成するためになされた請求項１に記載の発明は、１個の遊技球が通過するごとに１歯分のみ回転するように構成された歯車と、予め設けられた回転軸を中心に回転し、回転軸から予め設定された所定設置距離離れた位置に第１磁気部材が設置された振り子状部材と、歯車の回転に同期して、振り子状部材の移動経路に沿って回転する当接部材と、第１磁気部材が回転軸の真上に位置する状態を磁気真上状態とし、第１磁気部材が回転軸の真上に位置する状態を磁気真下状態として、振り子状部材が磁気真上状態から磁気真下状態へ回転するときの第１磁気部材の移動経路の近傍の予め設定された第１検出部設置位置に設けられ、第１磁気部材の接近を検出する第１磁気検出部と、遊技球の通過により歯車が回転するときの向きを歯車回転向きとして、歯車回転向きと同じ向きで第１磁気検出部から遠ざかるときの振り子状部材の移動を許可するとともに、歯車回転向きと反対の向きで第１磁気検出部に近付くときの振り子状部材の移動による第１磁気検出部への接近を制限する移動制限手段とを備えることを特徴とする遊技球計数装置である。
【００１１】
このように構成された遊技球計数装置では、歯車が、１個の遊技球が通過するごとに１歯分のみ回転する。したがって歯車は、歯車に形成された歯谷部の数分の遊技球が遊技球通路を通過した場合に１回転する。
【００１２】
また振り子状部材は、予め設けられた回転軸を中心に回転するとともに、回転軸から予め設定された所定設置距離離れた位置に第１磁気部材が設置される。また当接部材が、歯車の回転に同期して、振り子状部材の移動経路に沿って回転する。
【００１３】
これにより、当接部材と振り子状部材とが当接している間、歯車と振り子状部材は互いに同期して回転する。このように歯車と振り子状部材とが同期して回転することができるのは、振り子状部材が磁気真下状態から磁気真上状態に移行するまでの期間である。すなわち、振り子状部材が磁気真上状態になると、それ以降は、当接部材と振り子状部材との当接が解除される。そして振り子状部材は、振り子状部材に設置された第１磁気部材の重量により、歯車が一回転する毎に１回、磁気真上状態から磁気真下状態へ向けて、回転軸を中心に回転する。
【００１４】
そして、第１磁気部材の接近を検出する第１磁気検出部は、振り子状部材が磁気真上状態から磁気真下状態へ回転するときの第１磁気部材の移動経路の近傍の予め設定された第１検出部設置位置に設けられている。
【００１５】
したがって第１磁気検出部は、歯車が一回転する毎に１回、第１磁気部材の接近を検出することができる。つまり、第１磁気検出部は、歯車に形成された歯谷部の数分の遊技球が遊技球通路を通過する毎に、第１磁気部材の接近を検出することができる。
【００１６】
但し、第１磁気部材が回転軸の真下に位置する状態（磁気真下状態）を振動中心として振り子状部材が振動する場合には、第１磁気部材が第１磁気検出部に、歯車が一回転する周期よりも短い周期で接近して、短時間で第１磁気部材の接近を多数検出してしまう誤検出が発生するおそれがある。
【００１７】
しかし、請求項１に記載の発明では、移動制限手段が、歯車回転向きと同じ向きで第１磁気検出部から遠ざかるときの振り子状部材の移動を許可するとともに、歯車回転向きと反対の向きで第１磁気検出部に近付くときの振り子状部材による第１磁気検出部への接近を制限する。
【００１８】
このため、振り子状部材が、歯車が一回転する毎に１回、磁気真上状態から磁気真下状態へ向けて、回転軸を中心に回転する場合には、その移動を許可するのに対して、磁気真下状態を振動中心として振り子状部材が振動する場合には、第１磁気部材の第１磁気検出部への接近を阻止することができる。
【００１９】
したがって、請求項１に記載の遊技球計数装置によれば、短時間で第１磁気部材の接近を多数検出してしまう誤検出の発生を抑制し、遊技球数の誤計数を低減することができる。
【００２０】
また、請求項２に記載の発明は、１個の遊技球が通過するごとに１歯分のみ回転するように構成された歯車と、予め設けられた回転軸を中心に回転し、回転軸から予め設定された所定設置距離離れた位置に第１磁気部材が設置された振り子状部材と、歯車の回転に同期して、振り子状部材の移動経路に沿って回転する当接部材と、第１磁気部材が回転軸の真上に位置する状態を磁気真上状態とし、第１磁気部材が回転軸の真下に位置する状態を磁気真下状態として、振り子状部材が磁気真上状態から磁気真下状態へ回転するときの第１磁気部材の移動経路の近傍の予め設定された第１検出部設置位置に設けられ、第１磁気部材の接近を検出する第１磁気検出部と、振り子状部材が磁気真下状態から磁気真上状態へ回転するときの第１磁気部材の移動経路の近傍の予め設定された第１磁気部材設置位置に設けられ、接近する第１磁気部材を吸着可能な第２磁気部材と、遊技球の通過により歯車が回転するときの向きを歯車回転向きとして、歯車回転向きと反対の向きで第１磁気部材が第１磁気部材設置位置から第１検出部設置位置へ向けて移動する経路の近傍の予め設定された第２磁気部材設置位置に設けられ、接近する第１磁気部材を吸着可能な第３磁気部材とを備えることを特徴とする遊技球計数装置である。
【００２１】
このように構成された遊技球計数装置では、請求項１に記載の遊技球計数装置と同様に歯車と振り子状部材と当接部材と第１磁気検出部とを備えているため、歯車に形成された歯谷部の数分の遊技球が遊技球通路を通過する毎に、第１磁気部材の接近を検出することができる。
【００２２】
さらに、請求項２に記載の遊技球計数装置では、接近する第１磁気部材を吸着可能な第２磁気部材が、振り子状部材が磁気真下状態から磁気真上状態へ回転するときの第１磁気部材の移動経路の近傍の予め設定された第１磁気部材設置位置に設けられている。
【００２３】
このため、振り子状部材が、振り子状部材に設置された第１磁気部材の重量により、歯車が一回転する毎に１回、磁気真上状態から磁気真下状態へ向けて、回転軸を中心に回転して、さらに、磁気真下状態から磁気真上状態へ振り子状部材が回転するときの第１磁気部材の移動経路の近傍の第１磁気部材設置位置に到達すると、第１磁気部材が第２磁気部材に吸着されて、この状態で振り子状部材の回転が停止する。
【００２４】
なお、この回転停止状態に振り子状部材がなっているときに、歯車の回転に同期して移動する当接部材が振り子状部材に当接すると、第１磁気部材と第２磁気部材との吸着が解除されて、再度、歯車と振り子状部材とが同期して回転する。
【００２５】
但し、この回転停止状態に振り子状部材がなっているときに、遊技球計数装置に何らかの外力が作用して第１磁気部材と第２磁気部材との吸着が解除されてしまうと、磁気真下状態を振動中心として振り子状部材が振動するようになり、第１磁気部材が第１磁気検出部に、歯車が一回転する周期よりも短い周期で接近して、短時間で第１磁気部材の接近を多数検出してしまう誤検出が発生するおそれがある。
【００２６】
しかし、請求項２に記載の発明では、接近する第１磁気部材を吸着可能な第３磁気部材が、歯車回転向きと反対の向きで第１磁気部材が第１磁気部材設置位置から第１検出部設置位置へ向けて移動する経路の近傍の予め設定された第２磁気部材設置位置に設けられている。
【００２７】
このため、第１磁気部材と第２磁気部材との吸着が解除されて、振り子状部材が第２磁気部材より下方に向けて回転した場合でも、振り子状部材が第２磁気部材設置位置に到達すると、第１磁気部材が第３磁気部材に吸着されて、この状態で振り子状部材の回転が停止する。すなわち、第１磁気部材と第２磁気部材との吸着が解除されてしまった場合でも、磁気真下状態を振動中心として振り子状部材が振動する状況の発生を抑制することができる。
【００２８】
したがって、請求項２に記載の遊技球計数装置によれば、短時間で第１磁気部材の接近を多数検出してしまう誤検出の発生を抑制し、遊技球数の誤計数を低減することができる。
【００２９】
また、請求項２に記載の遊技球計数装置においては、請求項３に記載のように、第１磁気部材設置位置は、第２磁気部材設置位置よりも、第１磁気部材の移動経路に近接して設定されるようにしてもよい。
【００３０】
このように構成された遊技球計数装置では、第３磁気部材が、第２磁気部材よりも、第１磁気部材の移動経路から外れた位置に設置されているので、振り子状部材が第２磁気部材の設置位置（第１磁気部材設置位置）へ向けて移動する回転を阻害することを抑制できる。
【００３１】
また、請求項１〜請求項３の何れかに記載の遊技球計数装置においては、請求項４に記載のように、振り子状部材が回転するときの第１磁気部材の移動経路の近傍で第１検出部設置位置と異なるように設定された第２検出部設置位置に設けられ、第１磁気部材の接近を検出する第２磁気検出部と、第１磁気部材の接近を第１磁気検出部が検出したタイミングと、第１磁気部材の接近を第２磁気検出部が検出したタイミングとの間の順序が、予め設定された所定検出順である場合に、第１磁気部材の接近を検出した旨を示す信号を出力する第１信号出力手段とを備えるようにしてもよい。
【００３２】
このように構成された遊技球計数装置では、第１磁気部材の接近を検出する第２磁気検出部が、振り子状部材が回転するときの第１磁気部材の移動経路の近傍で第１検出部設置位置と異なるように設定された第２検出部設置位置に設けられる。そして第１信号出力手段が、第１磁気部材の接近を第１磁気検出部が検出したタイミングと、第１磁気部材の接近を第２磁気検出部が検出したタイミングとの間の順序が、予め設定された所定検出順である場合に、第１磁気部材の接近を検出した旨を示す信号を出力する。
【００３３】
すなわち、磁気真上状態から磁気真下状態へ振り子状部材が回転する場合と、磁気真下状態から磁気真上状態へ振り子状部材が回転する場合とでは、第１磁気部材の接近を第１磁気検出部が検出したタイミングと、第１磁気部材の接近を第２磁気検出部が検出したタイミングとの間の順序が逆になる。このため、磁気真下状態を振動中心として振り子状部材が振動することにより、第１磁気部材が第１磁気検出部および第２磁気検出部に接近する場合を除外することができる。
【００３４】
したがって、請求項４に記載の遊技球計数装置によれば、短時間で第１磁気部材の接近を多数検出してしまう誤検出の発生を抑制し、遊技球数の誤計数をさらに低減することができる。
【００３５】
また、請求項１〜請求項３の何れかに記載の遊技球計数装置においては、請求項５に記載のように、振り子状部材が回転するときの第１磁気部材の移動経路の近傍で、第１磁気検出部よりも先に第１磁気部材の接近を検出可能に設定された第３検出部設置位置に設けられ、第１磁気部材の接近を検出する第３磁気検出部と、第１磁気検出部と第３磁気検出部が同時に第１磁気部材の接近を検出した場合に、第１磁気部材の接近を検出した旨を示す信号を出力する第２信号出力手段とを備えるようにしてもよい。
【００３６】
このように構成された遊技球計数装置では、第１磁気部材の接近を検出する第３磁気検出部が、振り子状部材が回転するときの第１磁気部材の移動経路の近傍で、第１磁気検出部よりも先に第１磁気部材の接近を検出可能に設定された第３検出部設置位置に設けられる。そして第２信号出力手段が、第１磁気検出部と第３磁気検出部が同時に第１磁気部材の接近を検出した場合に、第１磁気部材の接近を検出した旨を示す信号を出力する。
【００３７】
すなわち、第１磁気検出部のみが設置されている場合と比較して、第１磁気部材の接近を検出できる検出範囲を、第１磁気部材が回転軸の真上ある位置の近傍に制限することができる。このため、磁気真下状態を振動中心として振り子状部材が振動することにより、第１磁気部材の接近を検出してしまう状況の発生を抑制することができる。
【００３８】
したがって、請求項５に記載の遊技球計数装置によれば、短時間で第１磁気部材の接近を多数検出してしまう誤検出の発生を抑制し、遊技球数の誤計数をさらに低減することができる。
【図面の簡単な説明】
【００４９】
【図１】第１実施形態の遊技球計数装置１の内部構成を示す平面図である。
【図２】第１実施形態の遊技球計数装置１の動作を示す第１の平面図である。
【図３】第１実施形態の遊技球計数装置１の動作を示す第２の平面図である。
【図４】第１実施形態の遊技球計数装置１の動作を示す第３の平面図である。
【図５】遊技機島１００の内部構成を示す平面図である。
【図６】第２実施形態の遊技球計数装置１の内部構成を示す平面図である。
【図７】第２実施形態の遊技球計数装置１の動作を示す第１の平面図である。
【図８】第２実施形態の遊技球計数装置１の動作を示す第２の平面図である。
【図９】第３実施形態の遊技球計数装置１の内部構成を示す平面図である。
【図１０】第３実施形態の遊技球計数装置１の電気的構成を示すブロック図である。
【図１１】第４実施形態の遊技球計数装置１の内部構成を示す平面図である。
【図１２】第４実施形態の遊技球計数装置１の電気的構成を示す回路図である。
【図１３】第４実施形態の遊技球計数装置１の信号出力タイミングを説明する図である。
【発明を実施するための形態】
【００５０】
（第１実施形態）
以下に本発明の第１実施形態を図面とともに説明する。
図１は第１実施形態の遊技球計数装置１の内部構成を示す平面図、図２〜４は遊技球計数装置１の動作を示す平面図、図５は遊技機島１００の内部構成を示す平面図である。
【００５１】
本実施形態の遊技球計数装置１は、図１に示すように、遊技球を１個ずつ通過させる遊技球通路２と、遊技球通路２を通過する遊技球を計数する計数部３とから構成される。
これらのうち遊技球通路２は、遊技球が１個のみ通過可能な開口部１１が形成された中空筒形状に形成されている。さらに遊技球通路２は、遊技球通路２を構成する側壁１２のうち、計数部３と接触している部分の一部に開口部１３が形成されており、遊技球通路２を通過する遊技球が計数部３の一部分と接触可能となっている。
【００５２】
次に計数部３は、筺体２０と、歯車２１と、歯車回転制限部２２と、振り子２３と、リードスイッチ２４と、回転超過防止部２５と、振り子移動制限部２６とから構成されている。
【００５３】
これらのうち筺体２０は、遊技球通路２の側壁１２の開口部１３に隣接して配置されており、遊技球通路２の開口部１３と対向する部分が開口されている。そして筺体２０は、その内部に、歯車２１、歯車回転制限部２２、振り子２３、リードスイッチ２４、回転超過防止部２５、および振り子移動制限部２６を収容する。
【００５４】
また歯車２１は、遊技球を１個のみ嵌合可能な歯谷部３１が外周に沿って複数（本実施形態では１０個）形成されて、回転軸３０を中心に回転可能に筺体２０に軸支されている。さらに歯車２１には、複数（本実施形態では１０個）の歯山部３２が形成されており、歯車２１は、１個の歯山部３２が、開口部１３を介して、遊技球通路２内に突出するように配置される。これにより、遊技球通路２内を遊技球が１個通過する毎に、この遊技球が歯山部３２に衝突し、歯車２１が回転する。
【００５５】
また歯車回転制限部２２は、一端に錘４１が取り付けられた振り子状部材であり、回転軸４０を中心に回転可能に筺体２０に軸支されている。また錘４１は、歯車２１の歯谷部３１と嵌合可能な形状であり、歯車回転制限部２２は、歯車２１の上方において、錘４１と歯車２１の歯谷部３１とが嵌合可能な位置に配置されている。このため、歯車回転制限部２２の錘４１と歯車２１の歯谷部３１とが嵌合している状態では、回転力が作用していない歯車２１が回転するのを防止する。そして、遊技球通路２内を通過する遊技球が歯山部３２に衝突すると、歯車２１に回転力が作用し、錘４１と歯車２１の歯谷部３１との嵌合が解除されて、歯車２１が回転する。その後、隣の歯谷部３１と錘４１とが嵌合すると歯車２１の回転が停止する。これにより、遊技球通路２を１個の遊技球が通過するごとに、歯車２１が１歯分のみ回転する。
【００５６】
また振り子２３は、一端に磁石５１が取り付けられた振り子状部材であり、回転軸３０を中心に回転可能に筺体２０に軸支されている。
なお歯車２１は、歯車２１を挟んで振り子２３が配置されている側の面上から突出する突起３５を備える。さらに振り子２３は、突起３５の移動経路上に位置する突起５５を備える。このため、歯車２１の突起３５は、歯車２１が１回転する間に１回、振り子２３の突起５５と、突起３５の回転方向から当接する。そして、突起３５と突起５５とが当接している間、歯車２１と振り子２３は互いに同期して回転する。
【００５７】
またリードスイッチ２４は、外部から磁界が作用すると導通状態になりパルス信号を出力するものである。そしてリードスイッチ２４は、歯車２１を挟んで振り子２３が配置されていない側に配置されている。さらにリードスイッチ２４は、磁石５１の移動経路Ｒ１のうち、磁石５１が回転軸３０の真上にある位置Ｐ１から真下にある位置Ｐ２へ回転移動するまでの移動経路Ｒ１１の近傍に配置される。
【００５８】
また回転超過防止部２５は、磁石である。そして回転超過防止部２５は、歯車２１と筺体２０との間で挟まれた領域に配置される。さらに回転超過防止部２５は、磁石５１の移動経路Ｒ１のうち、磁石５１が回転軸３０の真下にある位置Ｐ２から真上にある位置Ｐ１へ回転移動するまでの移動経路Ｒ１２の近傍に配置される。
【００５９】
また振り子移動制限部２６は、回転軸６０に軸支された回転中心部６１と、回転中心部６１から延設された腕状部６２と、回転中心部６１を挟んで腕状部６２の反対側に設置される錘部６３と、錘部６３の回転を阻止する回転阻止部６４とから構成される。したがって、回転中心部６１、腕状部６２、および錘部６３は回転軸６０を中心に一体に回転可能に構成されている。以下、回転中心部６１、腕状部６２、および錘部６３をまとめて回転部６５という
なお錘部６３は、腕状部６２より重量が大きい。このため、腕状部６２および錘部６３に回転力が作用していないときには、回転部６５は、回転中心部６１の上に腕状部６２が、回転中心部６１の下に錘部６３が配置された状態になっている。
【００６０】
そして振り子移動制限部２６は、歯車２１の下方に配置される。さらに振り子移動制限部２６は、回転部６５がその回転を停止している状態において、腕状部６２が振り子２３の突起５５の移動経路Ｒ２上に位置するように配置される。
【００６１】
また回転阻止部６４は、回転部６５の回転停止状態から、回転部６５が歯車２１と同じ回転方向で回転することを阻止できるように配置される。すなわち、回転阻止部６４は、回転部６５を挟んでリードスイッチ２４が配置されていない側において、回転停止状態における回転部６５の錘部６３と対向するように配置される。
【００６２】
そして遊技球計数装置１は、図５に示すように、遊技機島１００内において、遊技機から排出される遊技球を遊技機毎に回収するアウト球収容器１１０と、揚送機１２０により揚送された球を各遊技機に補給するための分離シュート１３０に取り付けられる。
【００６３】
このように構成された遊技球計数装置１では、遊技球を１個のみ嵌合可能な歯谷部３１が外周に沿って複数形成された歯車２１が、遊技球を１個ずつ通過可能に形成された遊技球通路２を１個の遊技球が通過するごとに、１個の遊技球が歯谷部３１に嵌合しながら移動することにより１歯分のみ回転する。したがって歯車２１は、歯車２１に形成された歯谷部３１の数分の遊技球が遊技球通路２を通過した場合に１回転する。
【００６４】
また振り子２３は、予め設けられた回転軸３０を中心に回転するとともに、回転軸３０から予め設定された所定設置距離（図１の距離Ｄ１を参照）離れた位置に磁石５１が設置される。また、振り子２３の回転方向（以下、振り子回転方向という）に沿って歯車の回転に同期して回転する突起３５が、振り子２３を回転可能に振り子２３の突起５５を振り子回転方向から当接することが可能な位置に設けられている。
【００６５】
これにより、突起３５と振り子２３の突起５５とが当接している間、歯車２１と振り子２３は互いに同期して回転する（図１の突起３５と突起５５を参照）。このように歯車２１と振り子２３とが同期して回転することができるのは、振り子２３の磁石５１が回転軸３０の真下にある位置Ｐ２から真上にある位置Ｐ１に移行するまでの期間である。すなわち、振り子２３の磁石５１が回転軸３０の真上に位置する状態（以下、磁石真上状態ともいう）になると、それ以降は、突起３５と振り子２３の突起５５との当接が解除される。そして振り子２３は、振り子２３に設置された磁石５１の重量により、歯車２１の一回転毎に１回、回転軸３０を中心に回転する。なお、そのときの回転向きは、振り子２３の磁石５１が回転軸３０の真上に位置する状態（磁石真上状態）から真下に位置する状態（以下、磁石真下状態ともいう）へ向かう向きである。
【００６６】
そして、磁石５１の接近を検出するリードスイッチ２４が、磁石５１が回転軸３０の真上にある位置Ｐ１（磁石真上状態）から、磁石５１が回転軸３０の真下にある位置Ｐ２（磁石真下状態）へ振り子２３が回転するときの磁石５１の移動経路の近傍の予め設定された設置位置（以下、第１リードスイッチ設置位置という）に設けられている。
【００６７】
したがってリードスイッチ２４は、歯車２１が一回転する毎に１回、磁石５１の接近を検出することができる。つまり、リードスイッチ２４は、歯車２１に形成された歯谷部の数分の遊技球が遊技球通路２を通過する毎に、磁石５１の接近を検出することができる。
【００６８】
また、接近する磁石５１を吸着可能な回転超過防止部２５が、振り子２３の磁石５１が回転軸３０の真下にある位置Ｐ２（磁石真下状態）から、磁石５１が回転軸３０の真上にある位置Ｐ１（磁石真上状態）へ振り子２３が回転するときの磁石５１の移動経路の近傍の予め設定された設置位置（以下、超過防止部設置位置という）に設けられている。
【００６９】
このため、振り子２３が、振り子２３に設置された磁石５１の重量により、歯車２１が一回転する毎に１回、磁石真上状態から磁石真下状態へ向けて、回転軸３０を中心に回転して、さらに、磁石真下状態から磁石真上状態へ振り子２３が回転するときの磁石５１の移動経路の近傍の超過防止部設置位置に到達すると、磁石５１が回転超過防止部２５に吸着されて、この状態で振り子２３の回転が停止する（図２を参照）。
【００７０】
なお、この回転停止状態に振り子２３がなっているときに、歯車２１の回転に同期して移動する突起３５が振り子２３の突起５５に当接すると、磁石５１と回転超過防止部２５との吸着が解除されて、再度、歯車２１と振り子２３とが同期して回転する（図１を参照）。
【００７１】
但し、この回転停止状態に振り子２３がなっているときに、遊技球計数装置１に何らかの外力が作用して磁石５１と回転超過防止部２５との吸着が解除されてしまうと、磁石真下状態を振動中心として振り子２３が振動するようになり、磁石５１がリードスイッチ２４に、歯車２１が一回転する周期よりも短い周期で接近して、短時間で磁石５１の接近を多数検出してしまう誤検出が発生するおそれがある。
【００７２】
しかし、第１実施形態の遊技球計数装置１では、振り子移動制限部２６が、遊技球の通過により歯車２１が回転するときの向き（以下、歯車回転向きという）と同じ向きでリードスイッチ２４から遠ざかるときの振り子２３の移動を許可する（図３を参照）とともに、歯車回転向きと反対の向きでリードスイッチ２４に近付くときの振り子２３の移動を禁止する（図４を参照）。
【００７３】
このため、振り子２３が、歯車２１が一回転する毎に１回、磁石真上状態から磁石真下状態へ向けて、回転軸３０を中心に回転する場合には、その移動を許可するのに対して、磁石真下状態を振動中心として振り子２３が振動する場合には、磁石５１のリードスイッチ２４への接近を阻止することができる。
【００７４】
したがって、第１実施形態の遊技球計数装置１によれば、短時間で磁石５１の接近を多数検出してしまう誤検出の発生を抑制し、遊技球数の誤計数を低減することができる。
以上説明した実施形態において、振り子２３は本発明における振り子状部材、突起３５は本発明における当接部材、磁石５１は本発明における第１磁気部材、リードスイッチ２４は本発明における第１磁気検出部、振り子移動制限部２６は本発明における移動制限手段、第１リードスイッチ設置位置は本発明における第１検出部設置位置である。
【００７５】
（第２実施形態）
以下に本発明の第２実施形態を説明する。なお、第２実施形態では、第１実施形態と異なる部分のみを説明する。
【００７６】
図６は第２実施形態の遊技球計数装置１の内部構成を示す平面図、図７，８は遊技球計数装置１の動作を示す平面図である。
第２実施形態の遊技球計数装置１は、図６に示すように、振り子移動制限部２６が省略されて、振り子吸着部７１が追加された点以外は第１実施形態と同じである。
【００７７】
振り子吸着部７１は磁石である。そして振り子吸着部７１は、歯車２１と筺体２０との間で挟まれた領域に配置される。また振り子吸着部７１は、振り子２３の磁石５１が回転軸３０の真下にある位置Ｐ２の近傍に配置されている。さらに振り子吸着部７１は、回転超過防止部２５よりも、磁石５１の移動経路Ｒ１までの距離が遠くなるように配置される。
【００７８】
このように構成された遊技球計数装置１では、接近する磁石５１を吸着可能な回転超過防止部２５は、位置Ｐ２（磁石真下状態）から位置Ｐ１（磁石真上状態）へ振り子２３が回転するときの磁石５１の移動経路近傍における予め設定された設置位置（超過防止部設置位置）に設けられている。
【００７９】
このため、振り子２３が、振り子２３に設置された磁石５１の重量により、歯車２１の一回転毎に１回、回転軸３０を中心に回転する。なお、そのときの回転向きは、磁石真上状態から磁石真下状態へ向かう向きである。そして更に、磁石真下状態から磁石真上状態へ振り子２３が回転するときの磁石５１の移動経路の近傍の超過防止部設置位置に、振り子２３が到達する。このときに、磁石５１が回転超過防止部２５に吸着されて、この状態で振り子２３の回転が停止する（図７を参照）。
【００８０】
なお、この回転停止状態に振り子２３がなっているときに、歯車２１の回転に同期して移動する突起３５が振り子２３の突起５５に当接すると、磁石５１と回転超過防止部２５との吸着が解除されて、再度、歯車２１と振り子２３とが同期して回転する（図６を参照）。
【００８１】
但し、この回転停止状態に振り子２３がなっているときに、遊技球計数装置１に何らかの外力が作用して磁石５１と回転超過防止部２５との吸着が解除されてしまうと、磁石５１が回転軸３０の真下にある位置Ｐ２（磁石真下状態）を振動中心として振り子２３が振動するようになり、磁石５１がリードスイッチ２４に、歯車２１が一回転する周期よりも短い周期で接近して、短時間で磁石５１の接近を多数検出してしまう誤検出が発生するおそれがある。
【００８２】
しかし、第２実施形態の遊技球計数装置１では、接近する磁石５１を吸着可能な振り子吸着部７１が、遊技球の通過により歯車２１が回転するときの向き（歯車回転向き）と反対の向きで磁石５１が超過防止部設置位置から第１リードスイッチ設置位置へ向けて移動する経路の近傍の予め設定された設置位置（以下、吸着部設置位置という）に設けられている。
【００８３】
このため、磁石５１と回転超過防止部２５との吸着が解除されて、振り子２３が回転超過防止部２５より下方に向けて回転した場合でも、振り子２３が吸着部設置位置に到達すると、磁石５１が振り子吸着部７１に吸着されて、この状態で振り子２３の回転が停止する（図８を参照）。すなわち、磁石５１と回転超過防止部２５との吸着が解除されてしまった場合でも、磁石真下状態を振動中心として振り子２３が振動する状況の発生を抑制することができる。
【００８４】
したがって、第２実施形態の遊技球計数装置１によれば、短時間で磁石５１の接近を多数検出してしまう誤検出の発生を抑制し、遊技球数の誤計数を低減することができる。
また、超過防止部設置位置は、吸着部設置位置よりも、磁石５１の移動経路Ｒ１に近接して設定される。すなわち、振り子吸着部７１が、回転超過防止部２５よりも、磁石５１の移動経路から外れた位置に設置されているので、振り子２３が回転超過防止部２５（超過防止部設置位置）へ向けて移動する回転を阻害することを抑制できる。
【００８５】
以上説明した実施形態において、回転超過防止部２５は本発明における第２磁気部材、振り子吸着部７１は本発明における第３磁気部材、超過防止部設置位置は本発明における第１磁気部材設置位置、吸着部設置位置は本発明における第２磁気部材設置位置である。
【００８６】
（第３実施形態）
以下に本発明の第３実施形態を説明する。なお、第３実施形態では、第１実施形態と異なる部分のみを説明する。
【００８７】
図９は第３実施形態の遊技球計数装置１の内部構成を示す平面図、図１０は遊技球計数装置１の電気的構成を示すブロック図である。
第３実施形態の遊技球計数装置１の内部構成は、図９に示すように、リードスイッチ８１が追加された点以外は第１実施形態と同じである。
【００８８】
リードスイッチ８１は、磁石５１の移動経路Ｒ１のうち、磁石５１が回転軸３０の真下にある位置Ｐ２（磁石真下状態）から真上にある位置Ｐ１（磁石真上状態）へ回転移動するまでの移動経路Ｒ１２の近傍に配置される。
【００８９】
また遊技球計数装置１は、図１０に示すように、リードスイッチ２４とリードスイッチ８１からの出力信号を入力し、リードスイッチ２４からの出力信号が入力してから予め設定された検出時間（本実施形態では、例えば０．５秒）が経過するまでの間に、リードスイッチ８１からの出力信号を入力した場合に、パルス信号を出力する信号出力回路７５を備える。
【００９０】
このように構成された遊技球計数装置１では、磁石５１の接近を検出するリードスイッチ８１が、振り子２３が回転するときの磁石５１の移動経路の近傍でリードスイッチ２４の設置位置（第１リードスイッチ設置位置）と異なるように設定された設置位置（以下、第２リードスイッチ設置位置という）に設けられる。そして信号出力回路７５が、磁石５１の接近をリードスイッチ２４が検出したタイミングと、磁石５１の接近をリードスイッチ８１が検出したタイミングとの間の順序が、予め設定された所定検出順である場合に（本実施形態では、リードスイッチ２４→リードスイッチ８１の順）、磁石５１の接近を検出した旨を示すパルス信号を出力する。
【００９１】
すなわち、磁石真上状態から磁石真下状態へ振り子２３が回転する場合と、磁石真下状態から磁石真上状態へ振り子２３が回転する場合とでは、磁石５１の接近をリードスイッチ２４が検出したタイミングと、磁石５１の接近をリードスイッチ８１が検出したタイミングとの間の順序が逆になる。このため、磁石真下状態を振動中心として振り子２３が振動することにより、磁石５１がリードスイッチ２４，８１に接近する場合を除外することができる。
【００９２】
したがって、第３実施形態の遊技球計数装置１によれば、短時間で磁石５１の接近を多数検出してしまう誤検出の発生を抑制し、遊技球数の誤計数を低減することができる。
以上説明した実施形態において、リードスイッチ８１は本発明における第２磁気検出部、信号出力回路７５は本発明における第１信号出力手段、第２リードスイッチ設置位置は本発明における第２検出部設置位置である。
【００９３】
（第４実施形態）
以下に本発明の第４実施形態を説明する。なお、第４実施形態では、第１実施形態と異なる部分のみを説明する。
【００９４】
図１１は第４実施形態の遊技球計数装置１の内部構成を示す平面図、図１２は遊技球計数装置１の電気的構成を示す回路図、図１３は遊技球計数装置１の信号出力タイミングを説明する図である。
【００９５】
第４実施形態の遊技球計数装置１の内部構成は、図１１に示すように、リードスイッチ９１が追加された点以外は第１実施形態と同じである。
リードスイッチ９１は、リードスイッチ２４と交差するように配置される。さらにリードスイッチ９１は、リードスイッチ２４よりも先に磁石５１の接近を検出できるように配置される。
【００９６】
また遊技球計数装置１は、図１２に示すように、リードスイッチ９１の一端が抵抗Ｒを介して電源ＶＢに接続されるとともに、リードスイッチ９１の他端とリードスイッチ２４の一端が接続され、さらにリードスイッチ２４の他端が接地される。このため、図１３に示すように、リードスイッチ２４とリードスイッチ９１が共に導通状態である場合に、リードスイッチ９１の一端は接地電圧（例えば０Ｖ）となり、リードスイッチ２４とリードスイッチ９１の少なくとも一方が導通状態でない場合には、リードスイッチ９１の一端は電源電圧（例えば５Ｖ）となる。
【００９７】
なお、上述したように、リードスイッチ９１は、リードスイッチ２４よりも先に磁石５１の接近を検出できるように配置されている。このため、リードスイッチ９１の一端の電圧が接地電圧になるのは、リードスイッチ２４が導通状態となる期間のうち、磁石５１が回転軸３０の真上にある位置Ｐ１の近傍に位置しているときに制限される。
【００９８】
このように構成された遊技球計数装置１では、磁石５１の接近を検出するリードスイッチ９１が、振り子２３が回転するときの磁石５１の移動経路の近傍で、リードスイッチ２４よりも先に磁石５１の接近を検出可能に設定された設置位置（以下、第３リードスイッチ設置位置という）に設けられる。そして、リードスイッチ２４とリードスイッチ９１が同時に磁石５１の接近を検出した場合に、磁石５１の接近を検出した旨を示すパルス信号を出力する。
【００９９】
すなわち、リードスイッチ２４のみが設置されている場合と比較して、磁石５１の接近を検出できる検出範囲を、磁石５１が回転軸３０の真上ある位置の近傍に制限することができる。このため、磁石真下状態を振動中心として振り子２３が振動することにより、磁石５１の接近を検出してしまう状況の発生を抑制することができる。
【０１００】
したがって、第４実施形態の遊技球計数装置１によれば、短時間で磁石５１の接近を多数検出してしまう誤検出の発生を抑制し、遊技球数の誤計数を低減することができる。
以上説明した実施形態において、リードスイッチ９１は本発明における第３磁気検出部、図１２に記載の回路構成は本発明における第２信号出力手段、第３リードスイッチ設置位置は本発明における第３検出部設置位置である。
【０１０１】
以上、本発明の一実施例について説明したが、本発明は上記実施例に限定されるものではなく、本発明の技術的範囲に属する限り種々の形態を採ることができる。
例えば上記実施形態においては、振り子移動制限部２６として振り子式であるものを示したが、これに限られるものではなく、例えばバネ式を用いるようにしてもよい。
【符号の説明】
【０１０２】
１…遊技球計数装置、２…遊技球通路、３…計数部、２０…筺体、２１…歯車、２２…歯車回転制限部、２３…振り子、２４…リードスイッチ、２５…回転超過防止部、２６…振り子移動制限部、３０…回転軸、３１…歯谷部、３２…歯山部、３５…突起、４０…回転軸、４１…錘、５１…磁石、５５…突起、６０…回転軸、６１…回転中心部、６２…腕状部、６３…錘部、６４…回転阻止部、６５…回転部、７１…振り子吸着部、７５…信号出力回路、８１，９１…リードスイッチ
【図１】
0005391898.tif 000002
【図２】
0005391898.tif 000003
【図３】
0005391898.tif 000004
【図４】
0005391898.tif 000005
【図５】
0005391898.tif 000006
【図６】
0005391898.tif 000007
【図７】
0005391898.tif 000008
【図８】
0005391898.tif 000009
【図９】
0005391898.tif 000010
【図１０】
0005391898.tif 000011
【図１１】
0005391898.tif 000012
【図１２】
0005391898.tif 000013
【図１３】
0005391898.tif 000014